(57)【特許請求の範囲】
【請求項１】
電動送風機および集塵室を内蔵する掃除機本体と、前記集塵室に着脱自在に装着されるバスケット体と、該バスケット体に装着される集塵袋とを備え、
前記バスケット体は、前記集塵袋と係合するための支持体と、前記集塵袋の側方を覆う側壁部とを備え、前記バスケット体を前記集塵室から取り出した後に前記バスケット体から前記集塵袋を捨てる際に前記支持体と前記集塵袋との係合状態を解除すると前記側壁部が前記集塵袋とは離れる方向に回動することを特徴とする電気掃除機。
【請求項２】
請求項１において
前記バスケット体の前壁部に、前記集塵袋の口板が装着される溝部を設けたことを特徴とする電気掃除機。
【請求項３】
請求項２において
前記前壁部に前記支持体を有し、前記支持体で集塵袋の口板を係止することを特徴とする電気掃除機。
【請求項４】
請求項３において
前記側壁部を左右両側に設け、
前記左右両側に配置した両側壁部と当接しながら移動することで、前記側壁部を回動させる棒体を前記支持体に設けたことを特徴とする電気掃除機。
【請求項５】
請求項１から請求項４のいずれかにおいて
バスケット体の前壁部の側面に溝を設け、前記溝にスライドするバスケット体の上下方向に出入り自在なハンドルを備えたことを特徴とする電気掃除機。
【発明の詳細な説明】
【技術分野】
【０００１】
本発明は電気掃除機に関するものである。
【背景技術】
【０００２】
従来の電気掃除機として、例えば特許文献１（特開２００５−２３７４０７号公報）がある。この特許文献１では、掃除機本体内の集塵室に収容した集塵袋の着脱を容易に行うために、集塵袋を保持するバスケット体を設けている。バスケット体は、集塵袋が大きく膨らんだ際に集塵袋の側面方向への膨らみを規制する側壁部と、集塵袋が載置される底壁部と、底壁部に対して回動自在に軸支された前壁部と、集塵袋を挿入し装着するための溝部とを備えている。
【０００３】
集塵袋を掃除機本体内の集塵室に装着する場合には、まずバスケット体の前壁部に形成されたＬ字状の溝部に集塵袋の口枠を挿入してバスケット体に集塵袋を固定し、そのバスケット体を集塵室に挿入する。
【０００４】
塵埃で一杯になった集塵袋を捨てる場合には、まずバスケット体のハンドルを握って集塵室からバスケット体を取り出す。次にバスケット体を前方に傾けると、塵埃で重くなった集塵袋の自重により前壁部がバスケット体の前方に回動し、集塵袋の口枠が溝部内をスライドして集塵袋が落下する。特許文献１ではこのようにすることにより、集塵袋を廃棄するようにしている。
【０００５】
【特許文献１】特開２００５−２３７４０７号公報
【発明の開示】
【発明が解決しようとする課題】
【０００６】
しかしながら、上記特許文献１に記載のものにおいては、以下のような課題があった。集塵袋を廃棄する場合、集塵袋は塵埃で一杯になって大きく膨らんでいるので、バスケット体の側壁部に強く押し付けられる。特許文献１ではバスケット体の側壁部が固定されているため、集塵袋の廃棄にあたりバスケット体を前方に傾けたとしてもバスケット体の側壁部に集塵袋が張り付き、集塵袋がバスケット体から離れにくいという課題があった。
【０００７】
本発明の目的は、上記課題を解決するためになされたものであり、バスケット体からの集塵袋の離脱をし易くし、集塵袋の廃棄のし易さを向上させた電気掃除機を提供することを目的とする。
【課題を解決するための手段】
【０００８】
上記目的を達成するために本発明の特徴とするところは、電動送風機および集塵室を内蔵する掃除機本体と、前記集塵室に着脱自在に装着されるバスケット体と、該バスケット体に装着される集塵袋とを備え、前記バスケット体は、前記集塵袋と係合するための支持体と、前記集塵袋の側方を覆う側壁部とを備え、前記バスケット体を前記集塵室から取り出した後に前記バスケット体から前記集塵袋を捨てる際に前記支持体と前記集塵袋との係合状態を解除すると前記側壁部が前記集塵袋とは離れる方向に回動することにある。
【発明の効果】
【０００９】
本発明はバスケット体から集塵袋を捨てる際に側壁部を圧迫することなく、大きく膨らんだ集塵袋も容易に廃棄することができる。
【発明を実施するための最良の形態】
【００１０】
本発明の一実施例について、図面を引用して説明する。図１は、本発明の一実施例に係る電気掃除機の分解斜視図であり、図２は、本発明の一実施例に係る電気掃除機の外観斜視図であり、図３は、本発明の一実施例に係る掃除機本体の中央断面図である。
【００１１】
図２において、電気掃除機１の構成を説明する。２は集塵室及び電動送風機を収容する掃除機本体、１２は一端が掃除機本体２の前部にホース接続部１２ａを介して接続されたホースである。ホース１２は掃除機本体２内の集塵室と連通している。１３は一端がホース１２の他端に接続され、掃除機の運転の入切や運転モードの切り替えを行うスイッチ手段１６を有する手元操作管である。１４は一端が手元操作管１３の他端に接続された伸縮可能な延長管、１５は延長管１４の他端に接続され掃除面の塵埃を吸込む吸口体である。
【００１２】
掃除機は掃除機本体２に収容された電動送風機で発生した吸引力により、延長管１４，手元操作管１３，ホース１２を介して吸口体１５の下面から吸込んだ被清掃面上の塵埃を集塵室内に搬送するようにしている。
【００１３】
次に図１及び図３を用いて掃除機本体２内の構造を説明する。掃除機本体２は、下本体ケース３とこの下本体ケース３の上方に配置された上本体ケース４とにより外郭を構成している。下本体ケース３には、掃除機本体２を走行させるための走行車輪１１と案内車輪４０とを備えている。上本体ケース４の上部には本体ハンドル６が取り付けられており、使用者はこの本体ハンドル６を持って掃除機本体２を持ち運ぶことができる。
【００１４】
掃除機本体２の前方には集塵袋２０を収納する集塵室５が形成されている。集塵室５は上方に向かって開口しており、この開口部の上方を集塵蓋８で覆っている。集塵蓋８は上本体ケース４に開閉自在に設けられている。掃除機本体２の前方にはホース接続部１２ａを接続するための接続口部１０が形成されており、ホース１２と集塵室５とが連通する。集塵室５には、バスケット体１０１と、このバスケット体１０１に装着される集塵袋２０（図６）が備えられる。バスケット体１０１の引き出しは集塵蓋８を開き、ハンドル１０６を握りバスケット体１０１を上方に引き抜く。逆に、バスケット体１０１の装着は集塵蓋８を開き、ハンドル１０６を握りバスケット体１０１を集塵室５に押し込み装着する。そして、掃除機の運転は集塵蓋８を閉じて行う。
【００１５】
掃除機本体２の後方には、電動送風機９と、この電動送風機９に電力を供給するための電源コード１９とを内蔵されている。電動送風機９が駆動すると吸込気流が発生し、この吸込気流により吸口体１５から含塵空気を吸込む。吸い込まれた含塵空気は、延長管１４，手元操作管１３，ホース１２を介して掃除機本体２に導かれ、集塵室５に配置された集塵袋２０によって塵埃を捕集する。集塵袋２０を通過した空気流は、電動送風機９に吸引されて昇圧される。集塵袋２０で捕集されなかった微細な塵は、排気フィルター３２でろ過捕集され、排気フィルター３２を通過した空気は機外に排気される。
【００１６】
また、集塵室５内には集塵袋２０と電動送風機９の間に保護フィルター１８を設けるとともに、除塵ユニット７を配置している。この除塵ユニット７が動いて袋部材２１を振動させることで、集塵袋２０内に捕集されて堆積した塵埃は袋部材２１から除塵される。
【００１７】
ホース接続口部１０に差し込んだホース１２の接続部１２ａと、逆止弁３１と一体になった弾性体シール部材が気密状態に当接しており、この逆止弁３１が開くと流入口３０から集塵袋２０に設けた開口部２６を通じて、含塵空気流が集塵袋２０内に流入する。ここで逆止弁３１と一体となった弾性体シール部材は、集塵袋２０に設けた口板２２に気密状態に当接して、塵埃がこぼれない作用も有している。
【００１８】
次に、掃除機本体２内部の配置について説明する。ホース接続口部１０は上方から見て掃除機本体２の幅方向の中央にあり、かつ、掃除機本体２の前面に配置している。集塵袋２０の流入部である開口部２６も同様に集塵室５の幅方向の中央にあり、かつ、集塵室５の前面に配置している。このように配置したことで、集塵室５の入口部分に曲りなどを設ける必要が無い為、通気損失を小さくできる効果が得られる。
【００１９】
次に集塵室５について説明する。集塵室５は図１と図３に示すように下本体ケース３と上本体ケース４と集塵蓋８で囲まれた空間で構成される。集塵袋２０は紙，布，プラスチック材等の不織布等で構成された袋部材２１と開口部２６を有した厚紙やプラスチック等で構成された口板２２を備える。この集塵袋２０は、集塵室５内に着脱可能なバスケット体１０１に装着される。なお、逆止弁３１は集塵袋２０に設けた開口部２６から集塵袋２０に溜まった塵埃がホース１２に設けた接続部側への逆流を防ぐように機能する。
【００２０】
次に、バスケット体１０１について図３から図９を用いて説明する。図４は本発明の一実施の形態例を示すバスケット体の正面図である。図５は本発明の一実施の形態例を示すバスケット体の右側面図である。図６は本発明の一実施の形態例を示す集塵袋を装着したバスケット体の斜視図である。図７は本発明の一実施の形態例を示すクランプを解除し、集塵袋を廃棄する際のバスケット体の斜視図である。図８は側壁部１０５付近の斜視図である。図９は図６のＢ部拡大図である。図１０は図３におけるＡ部拡大図である。図１１は側壁部１０５の当接部１１０と棒体１０７との関係を示す図である。
【００２１】
バスケット体１０１は、前壁部１０２と、集塵袋２０を装着するための前壁部１０２の下部の溝１０３と、上部のクランプ１０４（支持体）と、集塵袋２０の側方を覆い集塵袋２０の側面から離れる方向に回動可能な側壁部１０５と、バスケット体１０１を集塵室５から取り出すためのハンドル１０６と、クランプ１０４に備えられ、左右の側壁部１０５に達する棒体１０７とで構成されている。また側壁部１０５には吸引風を通過させるための孔１０８と、棒体１０７と当接する当接部１１０とが設けられている。
【００２２】
前壁部１０２は側壁部１０５が回動する際に中心となる軸１０９がバスケット体１０１の前面から見て左右の端に鉛直に備えられており、この軸１０９には側壁部１０５が集塵袋２０側へと付勢するためのバネ１２０が設けられている。また、前壁部１０２の側面には図８に示すように上下方向に延びた溝１１１が設けられている。この溝１１１は前壁部１０２の側面の左右に設けられ、この溝１１１にハンドル１０６の一部が挿入されている。そして、ハンドル１０６はこの溝１１１に沿ってバスケット体１０１の上下方向に移動し出入り自在に備えられている。
【００２３】
側壁部１０５には付勢バネ１２０によって集塵袋２０に近づく方向へ付勢された際に集塵袋２０を装着する空間を保持するため、側壁部１０５が集塵袋２０側へ閉じすぎることを規制するリブ１１２が設けられている。なお、側壁部１０５はバスケット体１０１の下方向に行くにしたがって、集塵袋２０下面方向へ徐々に曲り、集塵袋２０下面と略平行になっている。
【００２４】
以上のように構成されたバスケット体１０１について、塵埃を吸引した集塵袋２０を廃棄する際についての説明を行う。
【００２５】
集塵袋２０は、図１０（ａ）に示すように、集塵袋２０の口板２２とクランプ１０４の爪部１０４ａとが係合することにより、バスケット体１０１に固定されている。そして、集塵袋２０が一杯になり、バスケット体１０１から集塵袋２０を捨てる際には、ハンドル１０６を持ってバスケット体１０１を集塵室５から引き出し、図１０（ｂ）のようにクランプ１０４を操作して集塵袋２０の口板２２と爪部１０４ａとの係合状態を解除する。クランプ１０４は図１０に示すクランプ軸２００によって掃除機本体２に回動自在に取り付けられ、このクランプ軸２００を中心に回動する。図１０（ｂ）のように集塵袋２０の口板２２と爪部１０４ａとの係合状態を解除しクランプ１０４を傾斜させると、クランプ１０４の上部に設けられた棒体１０７が吸込口側（図１０の左側）に移動する。棒体１０７の動作について図６，図７及び図１０を用いて説明する。側壁部１０５の吸込口上方には棒体１０７と当接する当接部１１０が設けられている。この当接部１１０のうち棒体１０７と接触する側の面には傾斜面１１０ａが形成されている。この傾斜面１１０ａは、吸込口側（図１１の上側）の中央部側に向かうように傾斜している。すなわち、側壁部１０５の両側に配置された当接部１１０の傾斜面１１０ａ同士の幅は、吸込口側に向かうに従い狭くなるようになっている。
【００２６】
そして、集塵袋２０の口板２２とクランプ１０４の爪部１０４ａとが係合している状態（図６，図１０（ａ）及び図１１（ａ））から、クランプ１０４を傾斜させて口板２２と爪部１０４ａとの係合状態を解除（図１０（ｂ））すると、図７及び図１１（ｂ）に示すように棒体１０７が吸込口側に移動する。このとき、棒体１０７は当接部１１０の傾斜面１１０ａと当接しながら移動するので、傾斜面１１０ａが棒体１０７に押され当接部１１０の反吸込口側が外側に向かって開くように動作する。当接部１１０と接合されている側壁部１０５は前壁部１０２に設けた軸１０９を中心に回動するようになっているので、側壁部１０５が棒体１０７によって吸込口側へ押されると軸１０９を中心に回動し、集塵袋２０の側面から離れる方向へ開き、大きく膨らんだ集塵袋２０が側壁部１０５を圧迫しなくなり、集塵袋２０は容易に廃棄することができる。なお、側壁部１０５まで達している棒体１０７を設けたことにより、側壁部１０５を回動する際に、ギアやベルトなどを使用する必要がなく、簡単な構造となり、また省スペースである。
【００２７】
また、集塵袋２０を廃棄した後は前壁部１０２に備えられている左右の軸に設けた付勢バネ１２０によって、側壁部１０５は集塵袋２０に近づく方向へ回動する。さらに側壁部１０５が集塵袋２０側へ閉じすぎることを規制するリブ１１２を設けてあるので、集塵袋２０を装着する空間は保持された状態になり、かつ前壁部１０２の下部に溝１０３を設けたことによって、集塵袋２０を新たに装着する際に容易である。使用者自ら塵埃で一杯となった集塵袋２０や側壁部１０５を触れることなく、クランプ１０４を押すだけで一連の行動が済み、衛生的で煩わしさを伴わない。
【００２８】
またクランプ１０４で集塵袋２０の口板２２を係止することで、電動送風機９が駆動することによって集塵室５が負圧になり、塵埃が溜まった状態の集塵袋２０が電動送風機９側へ引っ張られた際に、集塵袋２０の口板２２が逆止弁３１と一体になった弾性体シール部材から離れることを防ぐことができ、塵埃がこぼれるのを防いでいると同時に、吸込力の低下をも防いでいる。さらに、クランプ１０４によって集塵袋２０の口板２２を係止しているため、集塵袋２０が一杯になり集塵室５からバスケット体１０１を取り出し、ごみ箱へ行くまでに誤ってバスケット体１０１を前方に傾けてしまっても意図していない場所に集塵袋２０を落とす心配も無い。なお、前壁部１０２の下部の溝１０３とクランプ１０４には、集塵袋２０の装着の上下を規制するものがなく、集塵袋２０の上下を気にすることなく装着でき、使い勝手が向上できる。
【００２９】
次に、バスケット体１０１を集塵室５へ着脱する際について説明する。
【００３０】
バスケット体１０１を集塵室５から取り出す際には、まず集塵室５の集塵蓋８を開け、バスケット体１０１のハンドル１０６を握り、集塵室５より持ち上げ取り出す。この時、略重心位置にハンドル１０６があるので、バランスがよく、取り出しやすくなっており、ハンドル１０６はバスケット体１０１の前壁部１０２の側面の溝１１１をスライドすることによってバスケット体１０１の上下方向に出入りが可能である。バスケット体１０１を集塵室５から取り出す際にはハンドル１０６をバスケット体１０１の上方向へスライドすると、ハンドル１０６握り部下端から前壁部１０２上端までの空間が広くなるので、使用者が余裕をもってハンドル１０６を握ることができる。またバスケット体１０１を集塵室５へ装着する際はハンドル１０６をバスケット体１０１の下方向へスライドすると、ハンドル１０６握り部下端から前壁部１０２上端までの空間が狭くなるのでハンドル１０６が邪魔にならず、使い勝手を向上できる。なお、バスケット体１０１を集塵室５に装着した後はハンドル１０６は自重により、バスケット体１０１の下方向へスライドするので使用者はハンドル１０６から手を離すだけでよい。
【００３１】
また、バスケット体１０１が集塵室５に装着された状態では集塵袋２０が大きく膨らみ、集塵袋２０の側面部がバスケット体の側壁部１０５に密着したとしても、側壁部１０５に孔１０８がついているため空気の通路が確保でき、吸込み性能も低下せず、使い勝手が向上できる。加えて、側壁部１０５はバスケット体１０１の下方向に行くにしたがって、集塵袋２０下面方向へ徐々に曲り、集塵袋２０下面と略平行になっているので、集塵袋２０が大きく膨らんだ際に集塵袋２０の電動送風機９側が自重で垂れ下がることを抑制し、集塵室５底面と集塵袋２０底面との間に空間が生じやすい。このため吸引風の流路が確保でき、吸込力の低下を防いでいる。
【図面の簡単な説明】
【００３２】
【図１】本発明の一実施の形態例を示す電気掃除機の上本体ケースと、蓋を取り外した状態の斜視図である。
【図２】本発明の一実施の形態例を示す掃除機本体の外観斜視図である。
【図３】本発明の一実施の形態例を示す掃除機本体の中央断面図である。
【図４】本発明の一実施の形態例を示すバスケット体の正面図である。
【図５】本発明の一実施の形態例を示すバスケット体の右側面図である。
【図６】本発明の一実施の形態例を示す集塵袋を装着したバスケット体の斜視図である。
【図７】本発明の一実施の形態例を示すクランプを解除し、集塵袋を廃棄する際のバスケット体の斜視図である。
【図８】側壁部１０５付近の斜視図である。
【図９】図６のＢ部拡大図である。
【図１０】図３におけるＡ部拡大図である。
【図１１】側壁部１０５の当接部１１０と棒体１０７との関係を示す図である。
【符号の説明】
【００３３】
２  掃除機本体
３  下本体ケース
４  上本体ケース
５  集塵室
６  ハンドル
２０  集塵袋
２１  袋部材
２２  口板
２６  開口部
３０  流入口
１０１  バスケット体
１０２  前壁部
１０３  前壁部下部の溝
１０４  クランプ
１０５  側壁部
１０６  ハンドル
１０７  棒体
１０８  孔
１０９  軸
１１０  当接部
１１１  前壁部の側面の溝
１１２  リブ
【図１】
0004919940.tif 000002
【図２】
0004919940.tif 000003
【図３】
0004919940.tif 000004
【図４】
0004919940.tif 000005
【図５】
0004919940.tif 000006
【図６】
0004919940.tif 000007
【図７】
0004919940.tif 000008
【図８】
0004919940.tif 000009
【図９】
0004919940.tif 000010
【図１０】
0004919940.tif 000011
【図１１】
0004919940.tif 000012